(57)【要約】本明細書では特に、成形システム（１００、２００）において使用される種々の転換構造を開示する。非限定的な実施形態に係る転換構造は、標準金型受容部（１４０、１５７）と、金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）を備える。標準金型受容部（１４０、１５７）及び金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）は、協働し、金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）は、金型（１２０）の金型構成を転換するため、標準金型受容部（１４０、１５７）内に受容され得る。
2016505421.tif 000002
【特許請求の範囲】
【請求項１】
成形システム（１００、２００）において使用される転換構造であって、
金型（１２０）の金型構成を転換するための金型転換モジュール（１５１Ａ、１５１Ｂ、１５１Ｃ、２５１Ａ、２５１Ｂ、２５１Ｃ、２５１Ｄ、２５１Ｅ、２５１Ｆ、１７０Ａ、１７０Ｂ、１７０Ｃ）を受容する標準金型受容部（１４０、１５７）を備える転換構造。
【請求項２】
前記標準金型受容部（１４０）は、内部に配されるいくつかの金型転換モジュール（１５１Ａ、１５１Ｂ、１５１Ｃ、２５１Ａ、２５１Ｂ、２５１Ｃ、２５１Ｄ、２５１Ｅ、２５１Ｆ）を受け入れる請求項１に記載の転換構造。
【請求項３】
前記標準金型受容部（１４０）は、前記成形システム（１００）の型締め具（１１０）のプラテン（１１４）に搭載するように構成されている請求項１に記載の転換構造。
【請求項４】
前記標準金型受容部（１４０）は、前記成形システム（１００、２００）の型締め具（１１０）のプラテン（１１４、２１４）と一体化される請求項１に記載の転換構造。
【請求項５】
前記標準金型受容部（１４０）は、成形位置と射出位置との間において、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の使用中における再配置を受け入れるため、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の補足ガイド（１６１）と協働するガイド（１４６）を備える請求項１に記載の転換構造。
【請求項６】
前記標準金型受容部（１４０）は、異なる位置に前記補足ガイド（１６１）を有する他の種々の金型転換モジュールを受け入れるため、前記ガイド（１４６）の再配置を受け入れる請求項５に記載の転換構造。
【請求項７】
前記標準金型受容部（１４０）はさらに、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において動作可能なシャッター装置（１４２）を備える請求項５に記載の転換構造。
【請求項８】
前記シャッター装置（１４２）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）のリンク部材（１５５）と協働するシャッター部材（１４３）を備え、
前記シャッター部材（１４３）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において再配置可能である請求項７に記載の転換構造。
【請求項９】
前記標準金型受容部（１４０）はさらに、少なくとも部分的に前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）を枠で包囲するエジェクタボックス（１４４）を備える請求項７に記載の転換構造。
【請求項１０】
前記標準金型受容部（１４０）はさらに、前記エジェクタボックス（１４４）に搭載可能な補助装置（１４９）を備える請求項９に記載の転換構造。
【請求項１１】
前記補助装置（１４９）は、
前方プレート、又は
使用中において成形品を移送するインモールド移送装置
のうちの一方又は双方である請求項１０に記載の転換構造。
【請求項１２】
前記標準金型受容部（１５７）は、前記金型転換モジュール（１７０Ａ、１７０Ｂ、１７０Ｃ）において画定された１つ以上の補足標準インタフェース（１８６、１８８、１９０、１９２）と協働する１つ以上の標準インタフェース（１８７、１８９、１９１、１９３）を画定する標準金型基部（１５３、１６０）を備える請求項１に記載の転換構造。
【請求項１３】
前記標準金型基部（１５３）は、前記１つ以上の標準インタフェース（１８７、１８９、１９１、１９３）を各々画定する複数のプレートを備える請求項１２に記載の転換構造。
【請求項１４】
前記複数のプレートは、前記金型転換モジュール（１７０Ａ、１７０Ｂ、１７０Ｃ）の第１積載部分（１７２Ａ、１７２Ｂ、１７２Ｃ）の内側コア（１７６）、外側コア（１７８）、及びストリッパスリーブ（１８０）に各々画定された、補足標準内側コアインタフェース（１８６）、補足標準外側コアインタフェース（１８８）、及び補足標準ストリッパインタフェース（１９０）と協働するために、標準内側コアインタフェース（１８７）、標準外側コアインタフェース（１８９）、及び標準ストリッパインタフェース（１９１）を各々画定する、内側コアプレート（１５４）、外側コアプレート（１５６）、及びストリッパプレート（１５８）を含む請求項１３に記載の転換構造。
【請求項１５】
前記標準金型基部（１６０）は、前記金型転換モジュール（１７０Ａ、１７０Ｂ、１７０Ｃ）の第２積載部分（１７４Ａ、１７４Ｂ、１７４Ｃ）の金型インサート（１８４）に画定された補足標準キャビティインタフェース（１９２）と協働する標準キャビティインタフェース（１９１）を画定する固定側型板である請求項１２に記載の転換構造。
【請求項１６】
成形システム（１００、２００）において使用される転換構造であって、
金型（１２０）の金型構成を転換するため、標準金型受容部（１４０、１５７）に受容される金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）を備える転換構造。
【請求項１７】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ）は、
前記金型（１２０）内の型穴（２２６Ａ、２２６Ｂ、２２６Ｃ）のキャビテーションと、
前記金型（１２０）内の前記型穴（２２６Ａ、２２６Ｂ、２２６Ｃ）のピッチと、
前記金型（１２０）によって成形されている成形品と、
のうちの少なくとも１つを転換する請求項１６に記載の転換構造。
【請求項１８】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）は、成形位置と射出位置との間において、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の使用中における再配置を受け入れるため、前記標準金型受容部（１４０）のガイド（１４６）と協働する補足ガイド（１６１）を備える請求項１６に記載の転換構造。
【請求項１９】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）は、前記標準金型受容部（１４０）と関連付けられたシャッター装置（１４２）と協働し、
前記シャッター装置（１４２）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において動作可能である請求項１８に記載の転換構造。
【請求項２０】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）は、前記シャッター装置（１４２）のシャッター部材（１４３）と協働するリンク部材（１５５）を備え、
前記シャッター部材（１４３）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において再配置可能である請求項１９に記載の転換構造。
【請求項２１】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）は、それに関連付けられた第１積載部分（１７２Ａ、１７２Ｂ、１７２Ｃ）を有する標準金型基部（１５３）を備え、前記第１積載部分（１７２Ａ、１７２Ｂ、１７２Ｃ）は、型穴（１２６）の部分を画定する請求項１６に記載の転換構造。
【請求項２２】
前記標準金型基部（１５３）は、１つ以上の標準インタフェース（１８７、１８９、１９１）を各々画定する複数のプレートを備える請求項２１に記載の転換構造。
【請求項２３】
前記複数のプレートは、前記第１積載部分（１７２Ａ、１７２Ｂ、１７２Ｃ）の内側コア（１７６）、外側コア（１７８）、及びストリッパスリーブ（１８０）に各々画定された、補足標準内側コアインタフェース（１８６）、補足標準外側コアインタフェース（１８８）、及び補足標準ストリッパインタフェース（１９０）と協働するために、標準内側コアインタフェース（１８７）、標準外側コアインタフェース（１８９）、及び標準ストリッパインタフェース（１９１）を各々画定する、内側コアプレート（１５４）、外側コアプレート（１５６）、及びストリッパプレート（１５８）を含む請求項２２に記載の転換構造。
【請求項２４】
前記金型転換モジュール（１５２Ａ、１５２Ｂ、１５２Ｃ）は、それに関連付けられた第２積載部分（１７４Ａ、１７４Ｂ、１７４Ｃ）を有する標準金型基部（１６０）を備え、
前記第２積載部分（１７４Ａ、１７４Ｂ、１７４Ｃ）は、型穴（１２６）の残りの部分を画定する請求項１６に記載の転換構造。
【請求項２５】
前記標準金型基部（１６０）は、前記第２積載部分（１７４Ａ、１７４Ｂ、１７４Ｃ）の金型インサート（１８４）に画定された補足標準キャビティインタフェース（１９２）と協働する標準キャビティインタフェース（１９１）を画定する固定側型板である請求項２４に記載の転換構造。
【請求項２６】
前記金型転換モジュール（１７０Ａ、１７０Ｂ、１７０Ｃ）は、前記標準金型受容部（１５７）に画定された１つ以上の標準インタフェース（１８７、１８９、１９１、１９３）と協働する１つ以上の補足標準インタフェース（１８６、１８８、１９０、１９２）を画定する、第１積載部分（１７２Ａ、１７２Ｂ、１７２Ｃ）及び第２積載部分（１７４Ａ、１７４Ｂ、１７４Ｃ）のうちの１つ以上を備える請求項１６に記載の転換構造。
【請求項２７】
前記第１積載部分（１７２Ａ、１７２Ｂ、１７２Ｃ）は、前記標準金型受容部（１５７）の内側コアプレート（１５４）、外側コアプレート（１５６）、及びストリッパプレート（１５８）に画定された、標準内側コアインタフェース（１８７）、標準外側コアインタフェース（１８９）、及び標準ストリッパインタフェース（１９１）と使用中において各々協働する、補足標準内側コアインタフェース（１８６）、補足標準外側コアインタフェース（１８８）、及び補足標準ストリッパインタフェース（１９０）を各々画定する、内側コア（１７６）、外側コア（１７８）、及びストリッパスリーブ（１８０）を含む請求項２６に記載の転換構造。
【請求項２８】
前記第２積載部分（１７４Ａ、１７４Ｂ、１７４Ｃ）は、前記標準金型受容部（１５７）の固定側型板に画定された標準キャビティインタフェース（１９３）と使用中において協働する補足標準キャビティインタフェース（１９２）を画定する金型インサート（１８４）を備える請求項２６に記載の転換構造。
【請求項２９】
金型（１２０）であって、
標準金型受容部（１４０、１５７）と、
金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）とを備え、
前記標準金型受容部（１４０、１５７）及び前記金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）は、協働し、
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）は、金型（１２０）の金型構成を転換するため、前記標準金型受容部（１４０、１５７）を受容可能である金型。
【請求項３０】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ、１５２Ａ、１５２Ｂ、１５２Ｃ、１７０Ａ、１７０Ｂ、１７０Ｃ）は、
前記金型（１２０）内の型穴（２２６Ａ、２２６Ｂ、２２６Ｃ）のキャビテーションと、
前記金型（１２０）内の前記型穴（２２６Ａ、２２６Ｂ、２２６Ｃ）のピッチと、
前記金型（１２０）によって成形されている成形品と、
のうちの少なくとも１つを転換する請求項２９に記載の金型。
【請求項３１】
前記標準金型受容部（１４０）は、成形システム（１００）の型締め具（１１０）のプラテン（１１４）に搭載するように構成される請求項２９に記載の金型。
【請求項３２】
前記標準金型受容部（１４０）は、成形システム（１００、２００）の型締め具（１１０）のプラテン（１１４、２１４）と一体化される請求項２９に記載の金型。
【請求項３３】
前記標準金型受容部（１４０）は、成形位置と射出位置との間において、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の使用中における再配置を受け入れるため、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の補足ガイド（１６１）と協働するガイド（１４６）を備える請求項２９に記載の金型。
【請求項３４】
前記標準金型受容部（１４０）は、異なる位置に前記補足ガイド（１６１）を有する他の金型転換モジュールを受け入れるため、前記ガイド（１４６）の再配置を受け入れる請求項３３に記載の金型。
【請求項３５】
前記標準金型受容部（１４０）はさらに、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において動作可能なシャッター装置（１４２）を備える請求項３３に記載の金型。
【請求項３６】
前記シャッター装置（１４２）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）のリンク部材（１５５）と協働するシャッター部材（１４３）を備え、
前記シャッター部材（１４３）は、前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）の前記再配置を選択的に許容するため、使用中において再配置可能である請求項３５に記載の金型。
【請求項３７】
前記標準金型受容部（１４０）はさらに、少なくとも部分的に前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）を枠で包囲するエジェクタボックス（１４４）を備える請求項３５に記載の金型。
【請求項３８】
前記標準金型受容部（１４０）はさらに、前記エジェクタボックス（１４４）に搭載可能な補助装置（１４９）を備える請求項３７に記載の金型。
【請求項３９】
前記補助装置（１４９）は、
前方プレート、又は
使用中において成形品を移送するインモールド移送装置
のうちの一方又は双方である請求項３８に記載の金型。
【請求項４０】
前記金型転換モジュール（１５１Ａ、１５１Ｂ、１５１Ｃ、２５１Ａ、２５１Ｂ、２５１Ｃ、２５１Ｄ、２５１Ｅ、２５１Ｆ）は、それに関連付けられた第１積載部分（１７２Ａ、１７２Ｂ、１７２Ｃ）を有する標準金型基部（１５３）を備え、
前記第１積載部分（１７２Ａ、１７２Ｂ、１７２Ｃ）は、型穴（１２６）の一部を画定する請求項２９に記載の金型。
【請求項４１】
前記標準金型受容部（１４０）は、内部に配されるいくつかの金型転換モジュール（１５１Ａ、１５１Ｂ、１５１Ｃ、２５１Ａ、２５１Ｂ、２５１Ｃ、２５１Ｄ、２５１Ｅ、２５１Ｆ）を受け入れる請求項４０に記載の金型。
【請求項４２】
前記標準金型基部（１５３）は、１つ以上の標準インタフェース（１８７、１８９、１９１）を各々画定する複数のプレートを備える請求項４０に記載の金型。
【請求項４３】
前記複数のプレートは、前記第１積載部分（１７２Ａ、１７２Ｂ、１７２Ｃ）の内側コア（１７６）、外側コア（１７８）、及びストリッパスリーブ（１８０）に各々画定された、補足標準内側コアインタフェース（１８６）、補足標準外側コアインタフェース（１８８）、及び補足標準ストリッパインタフェース（１９０）と協働するために、標準内側コアインタフェース（１８７）、標準外側コアインタフェース（１８９）、及び標準ストリッパインタフェース（１９１）を各々画定する、内側コアプレート（１５４）、外側コアプレート（１５６）、及びストリッパプレート（１５８）を含む請求項４２に記載の金型。
【請求項４４】
前記金型転換モジュール（１５２Ａ、１５２Ｂ、１５２Ｃ）は、それに関連付けられた第２積載部分（１７４Ａ、１７４Ｂ、１７４Ｃ）を有する標準金型基部（１６０）を備え、
前記第２積載部分（１７４Ａ、１７４Ｂ、１７４Ｃ）は、型穴（１２６）の残りの部分を画定する請求項２９に記載の金型。
【請求項４５】
前記標準金型基部（１６０）は、前記第２積載部分（１７４Ａ、１７４Ｂ、１７４Ｃ）の金型インサート（１８４）に画定された補足標準キャビティインタフェース（１９２）と協働する標準キャビティインタフェース（１９１）を画定する固定側型板である請求項４４に記載の金型。
【請求項４６】
前記金型転換モジュール（１７０Ａ、１７０Ｂ、１７０Ｃ）は、前記標準金型受容部（１５７）に画定された１つ以上の標準インタフェース（１８７、１８９、１９１、１９３）と協働する１つ以上の補足標準インタフェース（１８６、１８８、１９０、１９２）を画定する、第１積載部分（１７２Ａ、１７２Ｂ、１７２Ｃ）及び第２積載部分（１７４Ａ、１７４Ｂ、１７４Ｃ）のうちの１つ以上を備える請求項２９に記載の金型。
【請求項４７】
前記第１積載部分（１７２Ａ、１７２Ｂ、１７２Ｃ）は、前記標準金型受容部（１５７）の内側コアプレート（１５４）、外側コアプレート（１５６）、及びストリッパプレート（１５８）に画定された、標準内側コアインタフェース（１８７）、標準外側コアインタフェース（１８９）、及び標準ストリッパインタフェース（１９１）と使用中において各々協働する、補足標準内側コアインタフェース（１８６）、補足標準外側コアインタフェース（１８８）、及び補足標準ストリッパインタフェース（１９０）を各々画定する、内側コア（１７６）、外側コア（１７８）、及びストリッパスリーブ（１８０）を含む請求項４６に記載の金型。
【請求項４８】
前記第２積載部分（１７４Ａ、１７４Ｂ、１７４Ｃ）は、前記標準金型受容部（１５７）の固定側型板に画定された標準キャビティインタフェース（１９３）と使用中において協働する補足標準キャビティインタフェース（１９２）を画定する金型インサート（１８４）を備える請求項４６に記載の金型。
【請求項４９】
請求項２９〜４８のいずれか一項に記載の金型（１２０）を備える成形システム（１００、２００）。
【請求項５０】
内部に配されるいくつかの金型（１２０）をさらに備える請求項４９に記載の成形システム（１００、２００）。
【請求項５１】
成形システム（１００、２００）のための転換構造であって、
成形材料を金型（１２０）に分配する成形材料分配器（１３０、２３０、３３０、４３０、５３０）を備え、
前記成形材料分配器（１３０、２３０、３３０、４３０、５３０）は、前記金型（１２０）の種々の金型構成を受け入れるよう転換可能である転換構造。
【請求項５２】
前記種々の金型構成は、
型穴（１２６、２２６Ａ、２２６Ｂ、２２６Ｃ）のキャビテーションと、
前記型穴（１２６、２２６Ａ、２２６Ｂ、２２６Ｃ）のピッチと、
のうちの一方又は双方の変化に関連する請求項５１に記載の転換構造。
【請求項５３】
前記成形材料分配器（２３０）は、
標準分配器受容部（２４０、３４０）と、
その転換のための分配器転換モジュール（２５０Ａ、２５０Ｂ、２５０Ｃ、２５０Ｄ、２５０Ｅ、２５０Ｆ、２５０Ｇ、２５０Ｈ）とを備える請求項５１に記載の転換構造。
【請求項５４】
前記標準分配器受容部（２４０、３４０）は、成形機械（２００）のプラテン（２１６）と一体化される請求項５３に記載の転換構造。
【請求項５５】
前記分配器転換モジュール（２５０Ａ、２５０Ｂ、２５０Ｃ）は、
前記標準分配器受容部（２４０、３４０）に受容可能なマニホルド列（２３４Ａ、２３４Ｂ、２３４Ｃ）と、
ノズルアセンブリ（２３６Ａ、２３６Ｂ、２３６Ｃ）とを備え、
前記マニホルド列（２３４Ａ、２３４Ｂ、２３４Ｃ）は、前記ノズルアセンブリ（２３６Ａ、２３６Ｂ、２３６Ｃ）に関連付けられた複数のノズル（２３２Ａ、２３２Ｂ、２３２Ｃ）へ前記成形材料を分配するチャンネルのネットワークを画定する請求項５３に記載の転換構造。
【請求項５６】
前記分配器転換モジュール（２５０Ｄ、２５０Ｅ、２５０Ｆ、２５０Ｇ）は、サブマニホルド（２３５）と、メインマニホルド（２３７）と、ノズル（２３９）とのうちの１つ以上を備える請求項５３に記載の転換構造。
【請求項５７】
前記標準分配器受容部（２４０、３４０）はさらに、異なるキャビテーションの金型（１２０）又は金型転換モジュール（１５１Ａ、１５１Ｂ、１５１Ｃ、２５１Ａ、２５１Ｂ、２５１Ｃ、２５１Ｄ、２５１Ｅ、２５１Ｆ）を使用可能にする可変数のノズル（２３９）を受け入れる標準ノズル板（２３１）を備える請求項５３に記載の転換構造。
【請求項５８】
前記分配器転換モジュール（２５０Ｈ）は、前記成形材料分配器（２３０）の構造的一体性を維持するため、ノズル（２３９）に代わって前記標準ノズル板（２３１）に挿入可能な遮断支持部（２４１）を備える請求項５７に記載の転換構造。
【請求項５９】
前記分配器転換モジュール（２５０Ｈ）はさらに、内部に配されたマニホルド列（２３４Ｅ）を隔絶するため、前記標準ノズル板（２３１）内に画定された空間内に挿入可能な熱的分離器（２４３）を備える請求項５７に記載の転換構造。
【請求項６０】
前記成形材料分配器（３３０）は、
標準分配器受容部（２４０、３４０）と、
ノズルアセンブリ（３３６）と、
前記標準分配器受容部（２４０、３４０）内に受容され、前記ノズルアセンブリ（３３６）に関連付けられた複数のノズル（３３２）に前記成形材料を分配するチャンネルのネットワークを画定するマニホルド列（３３４）と、
前記種々の金型構成間で転換を行うため、動作を少なくとも部分的に且つ選択的に有効化及び無効化するように、前記複数のノズル（３３２、４３２、５３２）及び前記マニホルド列（３３４）と関連付けられた１つ以上の装置を制御するコントローラ（１７０）とを備える請求項５１に記載の転換構造。
【請求項６１】
前記成形材料分配器（４３０）は、
標準分配器受容部（２４０、３４０）と、
ノズルアセンブリ（３３６）と、
前記標準分配器受容部（２４０、３４０）内に受容され、前記ノズルアセンブリ（３３６）に関連付けられた複数のノズル（３３２）に前記成形材料を分配するチャンネルのネットワークを画定するマニホルド列（４３４）とを備え、
前記マニホルド列（４３４）の１つ以上のマニホルド（４３４Ａ、４３４Ｂ、４３４Ｃ、４３４Ｄ、４３４Ｅ、４３４Ｆ）は、前記種々の金型構成間で転換を行うため、１つ以上の前期チャンネルのネットワークを隔絶するように選択的に配置可能な弁（４３８）を備える請求項５１に記載の転換構造。
【請求項６２】
前記弁（４３８）を再配置するためアクチュエータの制御を行うコントローラ（１７０）をさらに備える請求項６１に記載の転換構造。
【請求項６３】
前記成形材料分配器（５３０）は、
標準分配器受容部（２４０、３４０）と、
前記標準分配器受容部（２４０、３４０）に受容されるモジュール式マニホルドシステム（５３４）と、
ノズルアセンブリ（３３６）とを備え、
前記モジュール式マニホルドシステム（５３４）は、前記ノズルアセンブリ（３３６）に関連付けられた複数の選択ノズル（３３２）に対して前記成形材料を分配するチャンネルのネットワークを選択的に画定するように、選択的に接続可能な１つ以上のマニホルドモジュール（５３４Ａ、５３４Ｂ、５３４Ｃ、５３４Ｄ、５３４Ｅ、５３４Ｆ）を備える請求項５１に記載の転換構造。
【発明の詳細な説明】
【技術分野】
【０００１】
本開示の非限定的実施形態は、成形システムにおいて使用される種々の転換構造全般に係る。
【発明の概要】
【課題を解決するための手段】
【０００２】
本開示の一様態によると、成形システムにおいて使用される転換構造を提供する。転換構造は、金型の金型構成を転換するための金型転換モジュールを受容する標準金型受容部を備える。
【０００３】
本開示の他の様態によると、成形システムにおいて使用される他の転換構造を提供する。転換構造は、金型の金型構成を転換するため、標準金型受容部において受容される金型転換モジュールを備える。
【０００４】
本開示のさらに他の様態によると、成形システムにおいて使用される金型を提供する。金型は、標準金型受容部及び金型転換モジュールを備える。標準金型受容部及び金型転換モジュールは協働し、金型転換モジュールは、金型の金型構成を転換するため、標準金型受容部に受容される。
【０００５】
本開示のさらに他の様態によると、成形システムのための他の転換構造を提供する。転換構造は、金型に成形材料を分配する成形材料分配器を備え、成形材料分配器は、金型の種々の金型構成を受け入れるよう転換可能である。
【０００６】
非限定的な実施形態のこれらの様態、他の様態、及び特徴は、当業者にとって、添付の図面との関連で述べる特定の非限定的な実施形態についての以下の説明を検討することにより明らかとなるであろう。
【０００７】
非限定的な実施形態は、添付の図面を参照することによって完全に理解されるであろう。
【図面の簡単な説明】
【０００８】
【図１】非限定的な実施形態に係る成形システムの一部を示す概略図である。
【図２】非限定的な実施形態に係る標準金型受容部とともに使用される種々の金型転換モジュールを示す。
【図３】標準金型受容部内に配された金型転換モジュールセットの１つを含む、金型の第１金型部分を示す。
【図４】標準金型受容部と関連付けられた補助装置をさらに備える、図３の第１金型部分を示す。
【図５】図４の第１金型部分と、金型の第２金型部分とともに使用される種々の金型転換モジュールとを示す、
【図６】成形材料分配器をさらに備えた金型を示す。
【図７】他の非限定的な実施形態による金型の標準金型受容部において使用される種々の金型転換モジュールを示す。
【図８】他の非限定的な実施形態に係る種々の金型転換モジュールの正面図である。
【図９】標準金型受容部に配され、選択された金型転換モジュールで形成される金型のいくつかの非限定的な構成を示す。
【図１０】他の非限定的な実施形態に係る成形システムの一部を示す概略図である。
【図１１】非限定的な実施形態に係る標準分配器受容部とともに使用され、成形材料分配器を構成する種々の分配器転換モジュールを示す。
【図１２】他の非限定的な実施形態に係る成形材料分配器を示す。
【図１３】他の非限定的な実施形態に係る成形材料分配器を示す。
【図１４】他の非限定的な実施形態に係る成形材料分配器を示す。
【図１５】他の非限定的な実施形態に係る成形材料分配器を示す。
【図１６】他の非限定的な実施形態に係る成形材料分配器を示す。
【図１７】他の非限定的な実施形態に係る成形材料分配器を示す。
【発明を実施するための形態】
【０００９】
図面は必ずしも寸法比率を表すものでなく、仮想線、略図表現、及び部分図として描かれることもある。特定の例においては、実施形態の理解に必要のない詳細、又は、他の詳細の把握を困難にする詳細については、省略することがあり得る。
【００１０】
さて、種々の非限定的な実施形態に係る成形システムのための転換構造の詳細を参照する。当分野において通常の知識を有する当業者にとって、本開示の非限定的な実施形態を考慮することにより、他の非限定的な実施形態、修正、及び同等物が明らかとなること、及び、これらの変更が添付の請求項の範囲内であると考慮されなければならないことを理解されなければならない。
【００１１】
さらに、当分野において通常の知識を有する当業者は、以下に検討する非限定的な実施形態の構造及び動作についての特定の詳細は、修正されてもよく、若しくはともに省略されてもよい（すなわち、必須ではない）ことを認識するであろう。場合によっては、既知の方法、手続、及び構成要素については詳細に記述していない。
【００１２】
［はじめに］
成形分野における技術の当業者は、例えば、射出成形、圧縮成形、熱成形等の特にプラスチック材料の成形に通じる技術では、成形システム内で使用されるツール（すなわち、金型、成形材料分配器等）を提供する設備コストが相当なものとなり得ることが理解されるであろう。
【００１３】
本明細書では特に、成形システム内で使用され、金型の金型構成（すなわち、型穴の形状、数、及び／又は位置）を経済的に転換する種々の非限定的な実施形態に係る転換構造を開示する。これらの転換構造は、金型構成の変化に影響を及ぼすため、実際に修正の必要があるか、さもなければ再配置の必要があるツールの一部を合理化することを目指している。
【００１４】
これらの非限定的な実施形態の一部において採用される概念として、再利用のため、金型の大部分を標準化することが挙げられる。特にこの概念は、転換カセット（すなわち、金型転換モジュール）を使用して再ツール化することのできる標準金型シェル（すなわち、標準金型受容部）を提供するということである。
【００１５】
これらの非限定的な実施形態の一部において採用される他の概念として、成形システムの成形機械に標準化成形部分の一部を一体化するか、さもなければ成形システムの成形機械に標準化成形部分の一部を移動することが挙げられる。特に、成形システムの標準金型受容部と成形材料分配器（例えば、ホットランナー）の一方又は双方が、成形機械の型締め具内に一体化されてもよい。
【００１６】
これらの非限定的な実施形態の他の一部において採用されるさらに他の概念によると、成形システムの成形材料分配器（例えば、ホットランナー）は、例えば金型のキャビテーション（すなわち、型穴の数であって、例えば４個、３２個、４８個、７２個等）及び金型ピッチ（すなわち、型穴の幾何学的離間）等、異なる金型構成を有する種々の金型又は金型転換モジュールを受け入れるよう転換可能である。これは、成形材料分配器の標準部分を再ツール化することにより、若しくは、この一部を選択的に適合化することのみにより、達成されてもよい。例えば、ホットランナーは、単純に「オフにする」ことができる分配構成要素を備えてもよい。あるいは、ホットランナーは、その転換を受け入れる（例えば、異なるキャビテーションを達成するようにホットランナーを構成するため選択的にマニホルドを動作させる）マニホルドレイアウトを有してもよい。
【００１７】
以上の技術的効果には、複数の適用例におけるツール（例えば、ホットランナーや金型）の高価な構成要素を再利用する機能が含まれてもよい。これは高価なツールを減らすのみならず、その価値下落を引き延ばすこともできる。
【００１８】
［金型の非限定的実施形態］
図１を参照すると、非限定的な実施形態に係る成形システム１００の一部の概略図を示している。特に、使用中、異なる金型構成に変換されてもよい金型１２０を内部に配した成形システム１００の型締め具１１０を示している。
【００１９】
金型１２０は、ともに閉鎖されると、内部で例えばキャップ型容器のクロージャ等の成形品を成形することができる複数の型穴を画定する第１金型部分１２２及び第２金型部分１２４を備える。第１金型部分１２２は、型締め具１１０の可動プラテン１１４に搭載される。第２金型部分１２４は、成形材料分配器１３０に搭載され、これが同様に型締め具１１０の固定プラテン１１６に搭載される。動作中、第１金型部分１２２は、可動プラテン１１４及び固定プラテン１１６の間の相対的な動きを通じて、金型１２０を開閉するため、第２金型部分１２４に対して往復移動されてもよい。あるいは、金型１２０は、後述のとおり、金型部分の往復移動を要求することなく動作させられてもよい。
【００２０】
図２を参照すると、成形システム１００の転換構造が第１金型部分１２２の要素を含んでもよいことが理解されてもよい。特に、転換構造は、標準金型受容部１４０及び１つ以上の金型転換モジュール１５１Ａ、１５１Ｂ、１５１Ｃを備えるように構成されてもよい。さらに図３を参照すると理解されるとおり、標準金型受容部１４０及び金型転換モジュール１５１Ａ、１５１Ｂ、１５１Ｃは協働し、金型転換モジュール１５１Ａ、１５１Ｂ、１５１Ｃは各々、金型１２０の金型構成を転換するため、標準金型受容部１４０に受容可能である。この非限定的な例において、異なる金型転換モジュール１５１Ａ、１５１Ｂ、１５１Ｃで転換された金型構成は、それによって成形された成形品（図示せず）の形状である。とはいっても、金型転換モジュール１５１Ａ、１５１Ｂ、１５１Ｃは、例えば、金型１２０内の型穴１２６のキャビテーション（すなわち、内部で画定される型穴の数）及び／又は金型１２０内の型穴のピッチ（すなわち、金型内の型穴の間隔）を転換するよう構成することもできる。
【００２１】
図２に戻ると、金型転換モジュール１５１Ａ、１５１Ｂ、１５１Ｃは各々、標準金型基部１５３を備えるように構成されてもよいことがさらに理解されてもよい。各金型転換モジュール１５１Ａ、１５１Ｂ、１５１Ｃはさらに、異なる構成の型穴１２６を有する第１部分を画定する第１積載部分１７２Ａ、１７２Ｂ、１７２Ｃを各々備えてもよい。標準金型基部１５３及び第１積載部分１７２Ａ、１７２Ｂ、１７２Ｃのさらなる詳細について後述する。
【００２２】
標準金型受容部１４０は、成形システム１００の型締め具１１０のプラテン１１４に搭載するよう構成される。他の非限定的な実施形態において、図１０に示すとおり、標準金型受容部１４０は代わりに、成形システム２００内の型締め具２１０のプラテン２１４と一体化されてもよい。いずれにしても、標準金型受容部１４０は、異なる金型構成を有する異なる金型セットに共通の構成要素のサブセットを有するよう構成される。
【００２３】
本例において、標準金型受容部１４０は、成形位置及び射出位置の間で、金型転換モジュール１５１Ａ、１５１Ｂ、１５１Ｃの使用中における再配置を受け入れるため、金型転換モジュール１５１Ａ、１５１Ｂ、１５１Ｃの補足ガイド１６１と協働するガイド１４６を備える。
【００２４】
標準金型受容部１４０はさらに、成形位置及び射出位置の間で、金型転換モジュール１５１Ａ、１５１Ｂ、１５１Ｃの再配置を選択的に許容するよう、使用中において動作可能なシャッター装置１４２を備えてもよい。シャッター装置１４２の構造及び動作は、２０１１年６月２日公開のＨａｌｔｅｒらによるＰＣＴ公報第２０１１／０６３４９９号を全体として参照して十分に記載されている。あえて述べると、シャッター装置１４２は、金型転換モジュール１５１Ａ、１５１Ｂ、１５１Ｃのリンク部材１５５と協働するシャッター部材１４３を備え、シャッター部材１４３は、金型転換モジュール１５１Ａ、１５１Ｂ、１５１Ｃの再配置を選択的に許容するよう、使用中において再配置可能である。特にシャッター部材１４３は、ａ）金型転換モジュール１５１Ａ、１５１Ｂ、１５１Ｃの後方への動きを遮断することにより、これを成形位置へと保持するように、且つ、Ｂ）金型転換モジュール１５１Ａ、１５１Ｂ、１５１Ｃが、そこからの成形品の排出に影響を及ぼすように再配置され得るように、交互に配置されてもよい。
【００２５】
標準金型受容部１４０はさらに、少なくとも部分的に、金型転換モジュール１５１Ａ、１５１Ｂ、１５１Ｃを枠で包囲するエジェクタボックス１４４を備えてもよい。図４を参照して理解されるとおり、エジェクタボックス１４４は、そこに搭載された補助装置１４９を支持するよう構成されている。補助装置１４９は例えば、前方プレート、又は、使用中において、金型１２０から成形品を移送するインモールド移送装置を備えてもよい。インモールド移送装置の非限定的な例が、前述のＰＣＴ公報第２０１１／０６３４９９号及び２０１１年６月１６日公表のＧｌａｅｓｅｎｅｒらによるＰＣＴ公報第２０１１／０６９２３７号に記載されている。
【００２６】
例えば、金型転換モジュール１５１Ａ、１５１Ｂ、１５１Ｃ（全体または一部）の置き換え又はいくつかの任意のプレートパッケージの追加又は除去（すなわち、金型への機能の追加または除去）等、金型１２０の転換は、その全体的な高さを変更できる。金型転換モジュールの高さの変更は、リンク部材１５５、１５５’、１５５”の置き換えで受け入れられてもよい。具体的には、金型転換モジュールの高さを増減することにより、リンク部材の長さをそれぞれ増減してもよい。
【００２７】
図５を参照すると、転換構造はさらに、第２金型部分１２４の金型構成の転換を行う、追加の金型転換モジュール１５２Ａ、１５２Ｂ、１５２Ｃを備えてもよいことが理解できる。金型転換モジュール１５２Ａ、１５２Ｂ、１５２Ｃは各々、標準金型基部１６０を備えてもよい。各金型転換モジュール１５２Ａ、１５２Ｂ、１５２Ｃはさらに、各々に関連付けられた第２積載部分１７４Ａ、１７４Ｂ、１７４Ｃを備えてもよく、第２積載部分１７４Ａ、１７４Ｂ、１７４Ｃは、異なる構成の型穴１２６の残りの部分を画定するよう構成される。標準金型基部１６０及び第２積載部分１７４Ａ、１７４Ｂ、１７４Ｃのさらなる詳細を以下に述べる。
【００２８】
図２〜図６を参照すると、金型１２０の転換構造がベンチ１９４（図２）上に組み付けられてもよいことが理解される。特に、第１ステップにおいて、図３に示すとおり、選択された金型転換モジュール１５１Ａ、１５１Ｂ、１５１Ｃが標準金型受容部１４０内に受容される。次に、図４に示すとおり、補助装置１４９が標準金型受容部１４０のエジェクタボックス１４４上に受容される。次に、図６に示すとおり、１つ以上のガイド１４７に補助されて、選択された金型転換モジュール１５２Ａ、１５２Ｂ、１５２Ｃが受容され、標準金型受容部１４０に対して配列される。型締め具１１０（図１）内に金型１２０を配置する前の最後のステップにおいて、成形材料分配器１３０が第２金型部分１２４（すなわち、選択された金型転換モジュール１５２Ａ、１５２Ｂ、１５２Ｃ）に接続され、搭載される。
【００２９】
図７を参照すると、他の非限定的な実施形態による金型の標準金型受容部１５７において使用される種々の金型転換モジュール１７０Ａ、１７０Ｂ、１７０Ｃが示されている。
【００３０】
金型転換モジュール１７０Ａ、１７０Ｂ、１７０Ｃは各々、上述の第１積載部分１７２Ａ、１７２Ｂ、１７２Ｃ及び第２積載部分１７４Ａ、１７４Ｂ、１７４Ｃの一方又は双方を備えてもよい。同様に、標準金型受容部１５７は、上述の標準金型基部１５３及び１６０の一方又は双方を備えてもよい。
【００３１】
図示のとおり、標準金型基部１５３、１６０は、第１積載部分１７２Ａ、１７２Ｂ、１７２Ｃ及び第２積載部分１７４Ａ、１７４Ｂ、１７４Ｃに画定される１つ以上の補足標準インタフェースと協働する１つ以上の標準インタフェースを画定する。
【００３２】
標準インタフェースを設けることにより、積載部分は、標準金型基部１５３、１６０を再使用しつつ、金型１２０を再構成するように容易に再配置されてもよい。
【００３３】
より具体的には、標準金型基部１５３は、例えば、第１積載部分１７２Ａ、１７２Ｂ、１７２Ｃの内側コア１７６、外側コア１７８、及びストリッパスリーブ１８０に各々画定される補助標準内側コアインタフェース１８６、補助標準外側コアインタフェース１８８、及び補助標準ストリッパインタフェース１９０と協働するために、標準内側コアインタフェース１８７、標準外側コアインタフェース１８９、及び標準ストリッパインタフェース１９１をそれぞれ画定する、内側コアプレート１５４、外側コアプレート１５６、及びストリッパプレート１５８等の複数のプレートを備えるよう構成されてもよい。同様に、第２積載部分１７４Ａ、１７４Ｂ、１７４Ｃは、標準金型基部１６０の固定側型板に画定される標準キャビティインタフェース１９３と使用中において協働する補足標準キャビティインタフェース１９２を画定する金型インサート１８４を備えてもよい。金型インサート１８４はさらに、その内部に配されたゲートインサート１８２を備えてもよい。
【００３４】
図８を参照すると、金型１２０（図１）を再構成するために選択できる金型転換モジュール２５１Ａ、２５１Ｂ、２５１Ｃ、２５１Ｄ、２５１Ｅ、２５１Ｆのさらなる非限定的な実施形態を示している。金型転換モジュール２５１Ａ、２５１Ｂ、２５１Ｃ、２５１Ｄ、２５１Ｅ、２５１Ｆは、異なる数、具体的には２４個、４８個、７２個の型穴２２６Ａ、２２６Ｂ、２２６Ｃを各々画定する、異なる金型構成を有する。注目すべき点として、金型転換モジュール２５１Ａ、２５１Ｂ、及び２５１Ｃは、異なる位置に補足ガイド１６１を備えるものとして示されており、これらのガイドは、使用中において、標準金型受容部１４０のガイド１４６と協働することに留意されたい。このように、標準金型受容部１４０はさらに、その内部にガイド１４６の再配置を受け入れるよう構成されてもよい。あるいは、標準金型受容部１４０は代わりに、ガイド１４６の固定位置を有してもよく、これに応じて金型転換モジュール２５１Ｄ、２５１Ｅ、２５１Ｆ（図８）が構成されてもよい。すなわち、金型転換モジュール２５１Ｄ、２５１Ｅ、２５１Ｆは、ガイド１６１の共通位置を有し、その異なる位置に補足ガイド１４６を有し、これらのガイドは、使用中において標準金型受容部１４０のガイド１４６と協働することに留意されたい。
【００３５】
図９を参照すると、選択された金型転換モジュール２５１Ａ、２５１Ｂ、２５１Ｃ、２５１Ｄ、２５１Ｅ、２５１Ｆをさらに内部に配した標準金型受容部１４０を使用して構成される、金型１２０、１２０’、１２０”のいくつかの非限定的な構成が示されている。特に、金型１２０は、内部に配された金型転換モジュール２５１Ｃを有する標準金型受容部１４０を備えている。金型１２０’は、内部に配された２つの金型転換モジュール２５１Ａとともに標準金型受容部１４０を備える。これらの例は、標準金型受容部１４０が必要に応じて１つ又は複数の金型転換モジュールを受け入れてもよいことを示している。最後の図面は、所望に応じて、型締め具のプラテン１１４にこれらの金型１２０”のうちのいくつかを同時に搭載できることを示している。
【００３６】
［成形材料分配器の非限定的実施形態］
さて、例えば図８に示す金型転換モジュール２５１Ａ、２５１Ｂ、２５１Ｃ、２５１Ｄ、２５１Ｅ、２５１Ｆ等の異なる金型構成を有する種々の金型又は金型転換モジュールを受け入れるために転換される、例えば図１及び図１０の成形システム１００、２００等の成形システムにおいて使用される成形材料分配器を備えた、種々の非限定的な実施形態に係る転換構造について説明する。
【００３７】
成形材料分配器２３０の非限定的な例は、図１１を参照してより理解されてもよい。成形材料分配器２３０は、標準分配器受容部２４０又は３４０の一方を、それと協働する１つ以上の選択された分配器転換モジュール２５０Ａ、２５０Ｂ、２５０Ｃ、２５０Ｄ、２５０Ｅ、２５０Ｆ、２５０Ｇ、２５０Ｈと共に使用して構成されてもよい。
【００３８】
標準分配器受容部２４０が、型締め具２１０のプラテン２１６（図１０にさらに示されている）内に画定されて示されている。標準分配器受容部２４０は、分配器転換モジュール２５０Ａ、２５０Ｂ、２５０Ｃ、２５０Ｄ、２５０Ｆ、２５０Ｇ、２５０Ｈを受容する容器２３８及びその他の標準インタフェースを画定する。標準分配器受容部３４０は、使用中において型締め具１１０のプラテン１１６（図１）に受容可能な型板構造と同様の構成である。
【００３９】
分配器転換モジュール２５０Ａ、２５０Ｂ、２５０Ｃは、金型転換モジュール２５１Ａ、２５１Ｂ、２５１Ｃ（図８）の各々とともに使用する成形材料分配器２３０を構成するため、標準分配器受容部２４０に受容することができる。分配器転換モジュール２５０Ａ、２５０Ｂ、２５０Ｃは各々、マニホルド列２３４Ａ、２３４Ｂ、２３４Ｃとノズルアセンブリ２３６Ａ、２３６Ｂ、２３６Ｃを備える。使用中において、マニホルド列２３４Ａ、２３４Ｂ、２３４Ｃのうちの選択された一つが、標準分配器受容部２４０の容器２３８に受容され、その後に対応するノズルアセンブリ２３６Ａ、２３６Ｂ、２３６Ｃがそこに搭載される。マニホルド列２３４Ａ、２３４Ｂ、２３４Ｃは各々、使用中においてノズルアセンブリ２３６Ａ、２３６Ｂ、２３６Ｃと関連付けられた複数のノズル２３２Ａ、２３２Ｂ、２３２Ｃに成形材料を分配するため、サブマニホルド２３５Ａ、２３５Ｂ、２３５Ｃ及びメインマニホルド２３７Ａ、２３７Ｂ、２３７Ｃ内に不図示のチャンネルのネットワークを画定する。
【００４０】
残りの分配器転換モジュール２５０Ｄ、２５０Ｅ、２５０Ｆ、２５０Ｇ、２５０Ｈは、金型の金型構成における変更（図示せず）を受け入れるべく、成形材料分配器２３０の１つ以上の構成要素を転換するために選択されてもよい、さらなる非限定的な例を提供するものである。例えば、金型の圧力定格や色変化性能要件を最適化／合致するために、チャンネルネットワーク内において１つ以上のレベルで溶解チャンネルのサイズ調整を行う必要があってもよい。このように、分配器転換モジュール２５０Ｄは、成形材料分配器２３０内における、例えば直径等のチャンネルネットワーク（図示せず）の全体の転換に備えているため、すべての要求されるサブマニホルド２３５、メインマニホルド２３７、及びノズル２３９を含む。あるいは、分配器転換モジュール２５０Ｅ、２５０Ｆ、及び／又は２５０Ｇは、サブマニホルド２３５、メインマニホルド２３７、及び／又はノズル２３９のうちの１つ以上を各々転換すべく、選択されてもよい。
【００４１】
標準分配器受容部２４０、３４０はさらに、標準ノズル板２３１を備えてもよい。標準ノズル板２３１は、異なるキャビテーションの金型又は金型転換モジュールを使用可能にするため、可変数のノズル２３９を受け入れるよう構成される。以上は図１２を参照して説明され、左側の成形材料分配器内において標準ノズル板２３１に配されたノズル２３９の数は、右側のものと異なることが理解される。１つ以上のノズル２３９を取り除き、関連のマニホルド列を置き換える場合、図示のとおり、遮断支持部２４１がその位置に挿入されてもよく、成形材料分配器の構造的一体性を維持する。従って、他の分配器転換モジュール２５０Ｈ（図１１）が１つ以上の遮断支持部２４１を備えてもよい。
【００４２】
さらに図１３を参照すると、異なるキャビテーションの金型又は金型転換モジュールを供給すべく成形材料分配器の転換を行うことにより、内部のマニホルド列の全体的なサイズが変化してもよいことが理解される。図示の非限定的な例において、成形材料分配器は、より小さな数のノズル（図示せず）を供給するため、つまり７２個のノズルを４８個まで減らすため、マニホルド列２３４Ｄをより小さなマニホルド列２３４Ｅに置き換えることにより転換される。マニホルド列２３４Ｅがもはや標準ノズル板２３１内に画定されたマニホルドポケット２４５内に画定された空間全体を実質的に占めていないという理由により、熱的分離器２４３のセットがそこに挿入されてもよく、より小さなマニホルド列２３４Ｅを取り囲む空間をより大きな開放体積のマニホルドポケット２３１から隔絶してもよい。このようにして得られる技術的効果には、マニホルドポケット２４５内の空気伝導及び／又は空気対流の結果として生じることもある熱的不均衡からのマニホルド列２３４Ｅの隔絶が含まれてもよい。
【００４３】
金型転換モジュール２５１Ａ、２５１Ｂ、２５１Ｃのうちの１つ以上を、若しくは、異なる金型構成を有するその他の金型又は金型転換モジュールを受け入れるよう転換することができる、他の成形材料分配器３３０が、図１４を参照して示される。成形材料分配器３３０は、標準分配器受容部３４０、マニホルド列３３４、及びノズルアセンブリ３３６を備えて示される。
【００４４】
図１１において先に示したとおり、標準分配器受容部３４０は、使用中において、成形機械１００のプラテン１１６に搭載されるように構成される。標準分配器受容部３４０は、マニホルド列３３４を受容する容器３３８を提供する。
【００４５】
マニホルド列３３４は、図示しないが、ノズルアセンブリ３３６と関連付けられた複数のノズル３３２に成形材料を分配するチャンネルのネットワークを画定する。より具体的には、マニホルド列３３４及びノズルアセンブリ３３６は、金型転換モジュール２５１Ａ、２５１Ｂ、２５１Ｃ（図８）の各々を受け入れるように構成される。動作中、複数のノズル３３２のノズルグループ３３２Ａを採用して、金型転換モジュール２５１Ａの型穴２２６Ａに供給を行い、複数のノズル３３２のノズルグループ３３２Ｂを採用して金型転換モジュール２５１Ｂの型穴２２６Ｂに供給を行い、複数のノズル３３２のノズルグループ３３２Ｃを採用して金型転換モジュール２５１Ｃの型穴２２６Ｃに供給を行う。これを受け入れるべく、種々の構成の間で転換を行うために、少なくとも部分的に、その動作を選択的に有効化及び無効化するように、複数のノズル３３２及びマニホルド列３３４と関連付けられた不図示のヒーター又は弁等の１つ以上の装置を制御するコントローラ１７０が設けられる。
【００４６】
図１５を参照して示すとおり、成形材料分配器３３０の転換を加速し且つ実質的に容易にするために、複数のノズル３３２の種々のノズルグループ３３２Ａ、３３２Ｂ、３３２Ｃ（図１４）の電気配線がともにグループ化されてもよい。成形システムのオペレータに容易にアクセスすることのできるクイックコネクタ３３９が設けられることにより、成形材料分配器全体の再配線を必要とすることなく、選択されたノズルグループの他の一揃いのコネクタ３４１への接続／切断を許容してもよい。
【００４７】
他の非限定的な実施形態を、図１６に示す成形材料分配器４３０を参照してさらに展開する。成形材料分配器４３０は、金型転換モジュール２５１Ａ、２５１Ｂ、２５１Ｃのうちの選択された１つを受け入れるために転換可能に構成される。成形材料分配器４３０は、標準分配器受容部３４０、マニホルド列４３４、及びノズルアセンブリ３３６を備えて示されている。
【００４８】
成形材料分配器４３０は、マニホルド列４３４のマニホルド４３４Ａ、４３４Ｂ、４３４Ｃ、４３４Ｄ、４３４Ｅ、４３４Ｆに関連付けられた１つ以上の弁４３８をさらに備える点を除いて、成形材料分配器３３０と構造上同様であると理解される。弁４３８は、金型転換モジュール２５１Ａ、２５１Ｂ、２５１Ｃの種々の金型構成間で転換を行うため、チャンネル４４０のネットワークのうちの１つ以上を隔絶するよう選択的に配置可能である。例えば、マニホルド４３４Ａに関連付けられた弁４３８を例に挙げる。弁４３８は、選択されたチャンネル４４０Ａ、４４０Ｂをチャンネル４４０のネットワークに接続するか若しくは隔絶するために、コントローラ１７０の制御の下、手動又は不図示のアクチュエータによって配置されてもよい。
【００４９】
さらに他の非限定的な実施形態に係る成形材料分配器５３０を、図１７を参照して示す。成形材料分配器５３０は、金型転換モジュール２５１Ａ、２５１Ｂ、２５１Ｃのうちの選択された１つを受け入れるように転換可能に構成される。成形材料分配器５３０は、標準分配器受容部３４０、容器３３８に受容されるモジュール式マニホルドシステム５３４、及びノズルアセンブリ３３６を備えて示されている。
【００５０】
モジュール式マニホルドシステム５３４は、ノズルアセンブリ３３６に関連付けられた複数のノズル３３２の選択を行うため、成形材料の分配を行うチャンネル５４０のネットワークを選択的に画定するよう選択的に接続可能なマニホルドモジュール５３４Ａ、５３４Ｂ、５３４Ｃ、５３４Ｄ、５３４Ｅ、５３４Ｆのセットを備える。例えば、マニホルドモジュール５３４Ａは、使用中に金型転換モジュール２５１Ａの型穴２２６Ａに供給を行うノズルグループ３３２Ａ（図１４）に供給を行うことが求められるチャンネル５４０Ａのネットワークの一部を、画定する。マニホルドモジュール５３４Ｂ、５３４Ｃ、５３４Ｄを追加することにより、チャンネル５４０Ｂのネットワークは、使用中に金型転換モジュール２５１Ｂの型穴２２６Ｂに供給を行うノズルグループ３３２Ｂ（図１４）を使用可能にすべく拡張される。マニホルドモジュール５３４Ｅ、５３４Ｆを追加することにより、チャンネル５４０Ｃのネットワークは、使用中に金型転換モジュール２５１Ｃの型穴２２６Ｃに供給を行うノズルグループ３３２Ｃ（図１４）を使用可能にすべく拡張される。マニホルドモジュール５３４Ｂ、５３４Ｃ、５３４Ｄ、５３４Ｅ、又は５３４Ｆのうちの１つ以上が搭載されない場合に、チャンネル５４０のネットワークの一部を隔絶するために、１つ以上の弁５４２又はその他の流れ停止手段がマニホルドモジュール５３４Ａ、５３４Ｄ内に設けられてもよい。
【００５１】
以上の説明は、より適切な非限定的実施形態のいくつかの概要を示したものであることに留意されたい。当業者にとって、本開示の非限定的実施形態の精神及び範囲から逸脱することなく、修正が加えられても有効であり得ることが明らかであろう。このように、本開示の非限定的実施形態は、より適切な特徴及び適用例のいくつかの単なる例示であると考えられなければならない。これらの非限定的実施形態を異なる方法で適用することにより、若しくは、当業者にとって既知の方法でこれらの非限定的実施形態を修正することにより、その他の有利な結果を実現することができる。これには、特徴の融合及び組み合わせが含まれ、また、種々の非限定的実施形態間の要素及び／又は機能について、当分野において通常の知識を有する当業者は、一実施形態における特徴、要素、及び／又は機能が、指摘のない限り、前述の他の実施形態に適切に組み込まれてもよいということを理解するものと見做す。特定の構成及び方法について説明したが、その意図及び概念は、他の構成及び適用例に対しても好適であり、適用できてもよい。
【図１】
2016505421.tif 000003
【図２】
2016505421.tif 000004
【図３】
2016505421.tif 000005
【図４】
2016505421.tif 000006
【図５】
2016505421.tif 000007
【図６】
2016505421.tif 000008
【図７】
2016505421.tif 000009
【図８】
2016505421.tif 000010
【図９】
2016505421.tif 000011
【図１０】
2016505421.tif 000012
【図１１】
2016505421.tif 000013
【図１２】
2016505421.tif 000014
【図１３】
2016505421.tif 000015
【図１４】
2016505421.tif 000016
【図１５】
2016505421.tif 000017
【図１６】
2016505421.tif 000018
【図１７】
2016505421.tif 000019
【国際調査報告】
2016505421.tif 000020
2016505421.tif 000021